(57)【要約】【課題】ワイヤハーネスを構成するコネクタに遊びコネクタが存在するか否かを解析によって特定することができる遊びコネクタの判定方法を提供すること。【解決手段】パターン毎に、第１の分割領域に割り当てられる第１のワイヤハーネスを構成する電線群を、第１の分割領域に隣り合う第２の分割領域に接続先が存在する必要電線と、第２の分割領域に接続先が存在しない余り電線と、に識別し、第１のワイヤハーネスを構成する電線群に接続されるコネクタのうち、接続される電線が全て余り電線であるコネクタを遊びコネクタと判定する。【選択図】図３
2014099049.tif 000002
【特許請求の範囲】
【請求項１】
車両空間を区分けする分割領域毎に、該分割領域に配索されるワイヤハーネスのなかから任意の品番のワイヤハーネスを割り当てて１つのパターンを形成する形成ステップと、
前記パターン毎に、前記分割領域のうちの第１の分割領域に割り当てられる第１のワイヤハーネスを構成する電線群を、前記分割領域のうちの前記第１の分割領域に隣り合う第２の分割領域に接続先が存在する必要電線と、前記第２の分割領域に接続先が存在しない余り電線と、に識別する識別ステップと、
前記第１のワイヤハーネスを構成する電線群に接続されるコネクタのうち、接続される電線が全て前記余り電線であるコネクタを遊びコネクタと判定する判定ステップと、
を有することを特徴とする遊びコネクタの判定方法。
【請求項２】
前記パターン毎に、前記第１のワイヤハーネスを構成する電線群に接続される任意のコネクタが遊びコネクタであるか否かを記憶する記憶ステップと、
遊びコネクタが存在するパターンを識別可能に出力する出力ステップと、
を有することを特徴とする請求項１に記載の遊びコネクタの判定方法。
【請求項３】
前記出力ステップにて、遊びコネクタを識別する識別子を出力する
ことを特徴とする請求項２に記載の遊びコネクタの判定方法。
【請求項４】
コンピュータに、請求項１から３のいずれか１項に記載の遊びコネクタの判定方法の各ステップを実行させるためのプログラム。
【発明の詳細な説明】
【技術分野】
【０００１】
本発明は、車両パネルにワイヤハーネスを配索する際に嵌合先の存在しない遊びコネクタの有無を判定する判定方法、及びプログラムに関する。
【背景技術】
【０００２】
特許文献１及び２には、車両空間を機能別に分割した、ワイヤハーネスを配索可能な領域（エンジンルーム、車室内壁、またはトランクルームなど。以後、これらの領域のことを分割領域と称する。）毎に、該分割領域に配索されるワイヤハーネスのなかから任意の品番のワイヤハーネスを割り当てた状況を再現し、各分割領域に配索されたワイヤハーネスを構成する電線によって、電気部品（例えば、バッテリー、ＥＣＵ（Electronic Control Unit）、駆動機）間が接続されているか否かを解析するワイヤハーネス導通検査装置について記載されている。
【０００３】
特許文献１及び２に記載されているワイヤハーネス導通検査装置では、補器毎配線情報における回路線の始点を見つけ出し、その始点に対応する電線の端部を部位毎コネクタ・配線情報から見つけ出し、その電線およびその電線に連結された電線の接続を部位毎コネクタ・配線情報の記述を参照して辿りながら、補器毎配線情報における回路線の終点に到達するかを、各回路線毎に判定する。
【０００４】
特許文献１及び２に記載されているワイヤハーネス導通検査装置では、対象となる車両の分割領域毎に配索可能なワイヤハーネスを割り当てて部位毎コネクタ・配線情報を作成する際、分割領域に配索可能なワイヤハーネスの候補が複数存在する、すなわち、分割領域に配索可能なワイヤハーネスには複数の品番が存在する。仮に、車両空間が３つの分割領域によって区分けされる場合であって該分割領域に配索可能なワイヤハーネスの候補（すなわち、品番）がそれぞれ２つあるとき、部位毎コネクタ・配線情報は８（２×２×２）パターン作成され、そのそれぞれに対して補器毎配線情報及び部位毎コネクタ・配線情報における電気部品を繋ぐ電線の始点及び終点が一致するか否かが判定される。
【先行技術文献】
【特許文献】
【０００５】
【特許文献１】特開２０１１−１３７８００号公報
【特許文献２】特開２０１１−１８０１１５号公報
【発明の概要】
【発明が解決しようとする課題】
【０００６】
ところで、ある分割領域に配索可能なワイヤハーネスとして複数の品番が用意されている場合、その複数の品番のワイヤハーネスのなかには、付捨て電線を有するものが生じる可能性がある。ここで付捨て電線が生じる原因、及び付捨て電線の定義について図９（ａ）から図９（ｃ）を参照して説明する。図９（ａ）から図９（ｃ）は、同一の車両に品番の異なるワイヤハーネスを配索した状況を説明する図である。
【０００７】
図９（ａ）では、車両空間が分割領域Ａ、Ｂ、Ｃの３つに区分けされ、分割領域Ａには品番Ａ１のワイヤハーネスＷ１が配索され、分割領域Ｂに品番Ｂ１のワイヤハーネスＷ２が配索され、分割領域Ｃに品番Ｃ１のワイヤハーネスＷ３が配索される状況を図示している。また、分割領域Ａには電気部品Ｅ１１が、分割領域Ｂには電気部品Ｅ２１が、分割領域Ｃには電気部品Ｅ３１、Ｅ３２が、それぞれ設置される。
【０００８】
ワイヤハーネスＷ１を構成する電線は、端部にコネクタＣ１１及びコネクタＣａｂが設けられて、コネクタＣ１１が電気部品Ｅ１１に接続され、コネクタＣａｂがワイヤハーネスＷ２の端部に設けられたコネクタＣａｂに接続される。
【０００９】
また、ワイヤハーネスＷ２を構成する電線は、端部にコネクタＣａｂ、Ｃ２１及びＣｂｃ１が設けられて、コネクタＣａｂがワイヤハーネスＷ１の端部に設けられたコネクタＣａｂに接続され、コネクタＣ２１が電気部品Ｅ２１に接続され、コネクタＣｂｃ１がワイヤハーネスＷ３の端部に設けられたコネクタＣｂｃ１に接続される。
【００１０】
また、ワイヤハーネスＷ３を構成する２本の電線は、うち一本の端部にコネクタＣｂｃ１及びＣ３１が設けられて、コネクタＣｂｃ１がワイヤハーネスＷ２の端部に設けられたコネクタＣｂｃ１に接続され、コネクタＣ３１が電気部品Ｅ３１に接続される。また、ワイヤハーネスＷ３を構成する２本の電線は、残りの一本の端部にコネクタＣｂｃ１及びＣ３２が設けられて、コネクタＣｂｃ１がワイヤハーネスＷ２の端部に設けられたコネクタＣｂｃ１に接続され、コネクタＣ３２が電気部品Ｅ３２に接続される。
【００１１】
続いて、図９（ｂ）及び図９（ｃ）を参照して説明する。図９（ｂ）及び図９（ｃ）に示される車両空間は、図９（ａ）に示される車両と同一であり、図９（ａ）と同様、分割領域Ａ、Ｂ、Ｃの３つに区分けされる。図９（ａ）と、図９（ｂ）及び図９（ｃ）とでは、図９（ｂ）及び図９（ｃ）に示される分割領域Ｃに電気部品Ｅ３２が設置されていない点でまず異なる。同一の車種であっても、その車種に複数のグレードが用意されていたり、その車種がオプション機能の有無を設定できるものであったりすると、グレードの違い及びオプション機能の有無によっては、搭載される電気部品が異なってくる。図９（ａ）と、図９（ｂ）及び図９（ｃ）とで搭載される電気部品が異なるのは、同一の車両であるものの、その車両のグレード及び選択されたオプション機能が異なるものであるためである。
【００１２】
図９（ｂ）に示されるように、分割領域Ｃに電気部品Ｅ３２が設置されていない場合、ワイヤハーネスＷ３の２本の電線のうちの電気部品Ｅ３２に接続される１本は不要となる。この場合、電気部品Ｅ３２に接続される１本の電線が構成に含まれない品番Ｃ２のワイヤハーネスＷ３を用意し、分割領域Ｃに配索することにより、車両の電気部品を接続する回路構成を実現することができる。
【００１３】
しかしながら、同一の車両において、その車両のグレードとオプション機能の有無の組合せは膨大な数にのぼり、各組合せ毎に電線の構成が異なるワイヤハーネス全てをそれぞれ別の品番として分割領域単位で用意するとなると、そのワイヤハーネスの品番もまた膨大なものとなり、品番の管理コストが嵩む。このため、一定数の組合せの全てに対応できる電線を備えた汎用性の高いワイヤハーネスを分割領域単位で用意しておき、その汎用性の高いワイヤハーネスを、指定されたグレード及び有りとされたオプション機能に応じて使い分けて配索することが一般的である。
【００１４】
そこで、図９（ｃ）では、分割領域Ｃには電気部品Ｅ３２が設置されていないものの、電気部品Ｅ３２に接続される１本の電線が構成に含まれる品番Ｃ１のワイヤハーネスＷ３を用意し分割領域Ｃに配索する。このとき、品番Ｃ１のワイヤハーネスＷ３は、図９（ａ）において分割領域Ｃに配索されたワイヤハーネスＷ３と同一の品番のものであり、上述した汎用性の高いワイヤハーネスに相当する。このように汎用性の高いワイヤハーネスを用いる場合であっても車両の電気部品を接続する回路構成を実現することができる。
【００１５】
しかしながら、このように汎用性の高い品番のワイヤハーネスをある分割領域に配索する場合、図９（ｃ）に示されるように、ワイヤハーネスに電線は備わっているものの、その電線の一端または両端に設けられた端子が接続される対象（図９（ｃ）ではワイヤハーネスＷ２のコネクタＣｂｃ１及び電気部品Ｅ３２が想到する。）が存在しないことが起こり得る。このように、ワイヤハーネスを構成する電線群のうちの、ある仕様の車両に配索された場合には接続先が存在するものの、別の仕様の同車両に配索された場合には接続先の存在しない電線を、本明細書では「付捨て電線」と定義する。尚、付捨て電線は、広義には、付捨て電線の端部に設けられた端子及びコネクタ、並びに付捨て電線に設けられた回路を含む回路体として定義される。
【００１６】
さて、上述のように付捨て電線が生じる結果、次のことが起こり得る。すなわち、車両パネルの隣り合う分割領域にそれぞれワイヤハーネスを配索し、それらのワイヤハーネスの電線の端部に設けられたコネクタ同士を連結するとき、各分割領域に割り当てられたワイヤハーネスの組合せ（パターン）によっては、一方のワイヤハーネスの電線にはコネクタがあるものの、そのコネクタに嵌合する相手側コネクタが、他方のワイヤハーネスに存在しないことが起こり得る。このように、各分割領域に割り当てられたワイヤハーネスの組合せ（パターン）によって発生し得る、嵌合する相手側コネクタが存在しないコネクタを、本明細書では「遊びコネクタ」と定義する。
【００１７】
車両パネルに遊びコネクタを有するワイヤハーネスを配索する場合、車両走行中にその遊びコネクタが動かないように、車両パネルや、当該遊びコネクタを有するワイヤハーネスの幹線となる電線などに遊びコネクタを固定する処置が必要となる。固定されていない遊びコネクタが存在する車両では、車両走行中の振動によって遊びコネクタが異音を発する等して、遊びコネクタが車両の不具合の原因となってしまう。このため、遊びコネクタを固定する処置をワイヤハーネスの配索時に適切にして遊びコネクタに起因する不具合を未然に防止するためにも、ワイヤハーネスを解析装置によって評価する際に、解析対象となるワイヤハーネスに遊びコネクタが存在するか否かを判定することが重要である。
【００１８】
本発明は、上述した事情に鑑みてなされたものであり、その目的は、ワイヤハーネスを構成するコネクタに遊びコネクタが存在するか否かを解析によって特定することができる遊びコネクタの判定方法、及びプログラムを提供することにある。
【課題を解決するための手段】
【００１９】
前述した目的を達成するために、本発明に係る遊びコネクタの判定方法、及びプログラムは、下記（１）〜（４）を特徴としている。
（１）  車両空間を区分けする分割領域毎に、該分割領域に配索されるワイヤハーネスのなかから任意の品番のワイヤハーネスを割り当てて１つのパターンを形成する形成ステップと、
前記パターン毎に、前記分割領域のうちの第１の分割領域に割り当てられる第１のワイヤハーネスを構成する電線群を、前記分割領域のうちの前記第１の分割領域に隣り合う第２の分割領域に接続先が存在する必要電線と、前記第２の分割領域に接続先が存在しない余り電線と、に識別する識別ステップと、
前記第１のワイヤハーネスを構成する電線群に接続されるコネクタのうち、接続される電線が全て前記余り電線であるコネクタを遊びコネクタと判定する判定ステップと、
を有すること。
（２）  上記（１）の構成の遊びコネクタの判定方法であって、
前記パターン毎に、前記第１のワイヤハーネスを構成する電線群に接続される任意のコネクタが遊びコネクタであるか否かを記憶する記憶ステップと、
遊びコネクタが存在するパターンを識別可能に出力する出力ステップと、
を有すること。
（３）  上記（２）の構成の遊びコネクタの判定方法であって、
前記出力ステップにて、遊びコネクタを識別する識別子を出力する
こと。
（４）  コンピュータに、上記（１）から（３）のいずれか１つの構成の遊びコネクタの判定方法の各ステップを実行させるためのプログラム。
【００２０】
上記（１）の構成の遊びコネクタの判定方法によれば、ワイヤハーネスを構成するコネクタに遊びコネクタが存在するか否かを解析によって特定することができる。
上記（２）の構成の遊びコネクタの判定方法によれば、解析者がより把握し易い状態で遊びコネクタの存在を表示出力することができる。
上記（３）の構成の遊びコネクタの判定方法によれば、解析者がより把握し易い状態で遊びコネクタの存在を表示出力することができる。
上記（４）の構成のプログラムによれば、ワイヤハーネスを構成するコネクタに遊びコネクタが存在するか否かを解析によって特定することができる。
【発明の効果】
【００２１】
本発明の遊びコネクタの判定方法、及びプログラムによれば、ワイヤハーネスを構成するコネクタに遊びコネクタが存在するか否かを解析によって特定することができる。これにより、遊びコネクタの存在を把握することができるので、車両パネルや、ワイヤハーネスの幹線となる電線などに固定される対策が取られないまま、遊びコネクタが見過ごされてしまうことを防止できる。この結果、遊びコネクタが固定されていないことに起因して生じる不具合を抑制することができる。
【００２２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２３】
【図１】図１（ａ）は、本発明の実施形態の遊びコネクタの判定方法における、１つのパターンの導通検査フェーズ完了後に記録されるデータの概念図であり、図１（ｂ）は、本発明の実施形態の遊びコネクタの判定方法における、別のパターンの導通検査フェーズ完了後に記録されるデータの概念図である。
【図２】図２は、本発明の実施形態の遊びコネクタの判定方法における、導通検査フェーズ完了の検査履歴を説明する概念図である。
【図３】図３は、本発明の実施形態の遊びコネクタの判定方法における遊びコネクタ検出フェーズを説明するフローチャートである。
【図４】図４は、１つのパターンの導通検査フェーズ完了後に記録された検査履歴の一例を示す図である。
【図５】図５は、図４に示される検査履歴を一部編集したものを示す図である。
【図６】図６は、図５に示される編集された検査履歴の一部を並び変えたものを示す図である。
【図７】図７（ａ）から図７（ｃ）は、本発明の実施形態の遊びコネクタの判定方法における遊びコネクタ出力フェーズによる表示例を説明する図である。
【図８】図８は、本発明の実施形態の遊びコネクタの判定方法を実行する装置のブロック図である。
【図９】図９（ａ）から図９（ｃ）は、同一の車両に品番の異なるワイヤハーネスを配索した状況を説明する図である。
【図１０】図１０（ａ）及び図１０（ｂ）は、遊びコネクタを説明する図であって、図１０（ａ）は、嵌合する相手側コネクタが存在する場合、図１０（ｂ）は、嵌合する相手側コネクタが存在しない場合、をそれぞれ示す。
【発明を実施するための形態】
【００２４】
本発明に関する具体的な実施形態について、各図を参照しながら以下に説明する。
【００２５】
本発明の実施形態について説明する前に、遊びコネクタについて図１０（ａ）及び図１０（ｂ）を参照して説明する。図１０（ａ）及び図１０（ｂ）は、遊びコネクタを説明する図であって、図１０（ａ）は、嵌合する相手側コネクタが存在する場合、図１０（ｂ）は、嵌合する相手側コネクタが存在しない場合、をそれぞれ示す。
【００２６】
図１０（ａ）に示されるように、分割領域Ａに配索される一方のワイヤハーネスの電線Ｗ１１〜Ｗ１４の端部にはコネクタＣ１が設けられ、各電線Ｗ１１〜Ｗ１４の端部に位置する端子（図示せず。）がキャビティＨ１に収容される。また、分割領域Ｂに配索される他方のワイヤハーネスの電線Ｗ２１〜Ｗ２３の端部にはコネクタＣ２が設けられ、各電線Ｗ２１〜Ｗ２３の端部に位置する端子（図示せず。）がキャビティＨ２に収容される。コネクタＣ１とコネクタＣ２が嵌合することにより、一方のコネクタＣ１に収容された一部または全ての電線Ｗ１１〜Ｗ１４が、他方のコネクタＣ２に収容された電線Ｗ２１〜Ｗ２３に双方の端子を介して導通が図られる。図１０（ａ）に示される場合では、一方のワイヤハーネスのコネクタＣ１に収容される電線Ｗ１１〜１３は、他方のワイヤハーネスのコネクタＣ２に収容される電線Ｗ２１〜２３に導通が図られる。
【００２７】
他方、図１０（ｂ）では、分割領域Ａに配索される一方のワイヤハーネスは、図１０（ａ）において分割領域Ａに配索されるワイヤハーネスと同一の品番であり、分割領域Ｂに配索される他方のワイヤハーネスは、図１０（ａ）において分割領域Ｂに配索されるワイヤハーネスと異なる品番であると想定している。図１０（ｂ）に示されるように、分割領域Ｂに配索される他方のワイヤハーネスは、コネクタＣ１に嵌合するコネクタＣ２を備えていないものである。このため、分割領域Ａに上記一方のワイヤハーネスが配索され、分割領域Ｂに上記他方のワイヤハーネスが配索された際、コネクタＣ１は遊びコネクタとなる。
【００２８】
ここで、発明者は、ワイヤハーネスを構成するコネクタに遊びコネクタが存在するか否かを解析によって特定するにあたって、次の２点に着目した。すなわち、
・図１０（ａ）に示されるように、遊びコネクタではないコネクタＣ１には、導通が図られた電線（一方のワイヤハーネスの電線Ｗ１１〜Ｗ１３と他方のワイヤハーネスの電線Ｗ２１〜Ｗ２３）が存在する点
・図１０（ｂ）に示されるように、遊びコネクタであるコネクタＣ１には、導通が図られた電線が存在しない点
である。
以下では、これらの２点の知見に基づいてワイヤハーネスに遊びコネクタが含まれるか否かを判定するアルゴリズムについて以下説明する。
【００２９】
本発明の実施形態の遊びコネクタの判定方法について詳細に説明する。本発明の実施形態の遊びコネクタの判定方法は、３つのフェーズに分けることができる。１つ目のフェーズが導通検査フェーズであり、２つ目のフェーズが遊びコネクタ検出フェーズである。３つ目のフェーズが遊びコネクタ出力フェーズである。それぞれのフェーズについて、以下詳細に説明する。
【００３０】
［導通検査フェーズ］
本発明の実施形態の遊びコネクタの判定方法における導通検査フェーズは、車両空間を区分けする分割領域毎に、該分割領域に配索されるワイヤハーネスのなかから任意の品番のワイヤハーネスを割り当てて１つのパターンを形成する形成工程と、パターン毎に、分割領域のうちの第１の分割領域に割り当てられる第１のワイヤハーネスを構成する電線群を、分割領域のうちの第１の分割領域に隣り合う第２の分割領域に接続先が存在する必要電線と、第２の分割領域に接続先が存在しない余り電線と、に識別する識別工程とを有する。導通検査フェーズは、例えば、本出願人が平成２２年７月２８日に出願した特願２０１０−１６５２４８（優先権主張番号  特願２００９−２７６４１８、優先日  平成２１年１２月４日、特許出願公開番号  特開２０１１−１３７８００号公報。）に記載されたワイヤハーネス導通検査方法に相当する。
【００３１】
導通検査フェーズにおける形成工程は、特に、特願２０１０−１６５２４８の明細書の段落［００４３］〜［０１８０］を参照されたい。また、導通検査フェーズにおける識別工程は、特願２０１０−１６５２４８の明細書の段落［０１４３］〜［０１７０］を参照されたい。
【００３２】
ところで、１つのパターンの部位毎コネクタ・配線情報に対する識別工程の実行が完了したとき、検査が実施された電線には、ワイヤハーネスを構成する電線毎に検査履歴が記録される。図１（ａ）に、本発明の実施形態の遊びコネクタの判定方法における、１つのパターンの導通検査フェーズ完了後に記録されるデータの概念図を示す。尚、図１（ａ）では、車両空間が３つの分割領域によって区分けされる車両を想定している。
【００３３】
図１（ａ）に示されるように、検査履歴は、分割領域Ａ、Ｂ、Ｃ毎に記録される。検査履歴に含まれる情報は、導通検査対象と、その導通検査対象における導通検査の結果である。図１（ａ）においては、便宜上、導通検査対象を「□□□□−△△−＊＊＊」として記載し、「□□□□」は分割領域を識別する識別子を、「△△」は「□□□□」によって識別される分割領域に配索可能なワイヤハーネスの品番を識別する識別子を、「＊＊＊」は「□□□□」によって識別される分割領域に敷設される電線を識別する識別子を、それぞれ示している。例えば、分割領域Ａにおいては、分割領域Ａがエンジンルームであるため「□□□□」には「エンジン」との文字列が、分割領域Ａに品番「Ａ１」のワイヤハーネスが割り当てられるため「△△」には「Ａ１」が、「＊＊＊」には電線を識別する識別子「ａ０１」〜「ａ１６」が、それぞれ電線を識別する識別情報として記述されている。導通検査対象は、分割領域を識別する識別子、ワイヤハーネスの品番を識別する識別子及び電線を識別する識別子を指定することによって一意に選択される。尚、分割領域Ａに敷設可能な電線は、「ａ０１」〜「ａ２５」の２５種類あるものとする。このため、分割領域「エンジン」に割り当てられる品番「Ａ１」のワイヤハーネスには、「ａ０１」〜「ａ２５」のうち、「ａ０１」〜「ａ１６」の電線が備わっていることになる。
【００３４】
さらに、導通検査対象毎に、導通検査の結果が対応づけて記録されている。図１（ａ）においては、便宜上、導通検査の結果を、「○」、「（空白）」の２つの表記によって示している。「○」は、対応付けられた導通検査対象の導通検査が成功したことを示し、「（空白）」は、導通検査の結果が対応付けて記録されていない、すなわち、導通検査対象の導通検査が実施されていないことを示している。図１（ａ）では、導通検査対象を、導通検査が成功したもの、導通検査が実施されていないもの、の順に上から下に向けて配列している。この分割領域Ａの検査履歴から、分割領域「エンジン」に割り当てられる品番「Ａ１」のワイヤハーネスは、導通検査が成功した１２本の電線には接続先があり、導通検査の結果が対応付けて記録されていない４本の電線には接続先がないことが分かる。
【００３５】
また、分割領域Ｂにおいては、分割領域Ｂがインストルメントパネルであるため「□□□□」には「インパネ」との文字列が、分割領域Ｂに品番「Ｂ１」のワイヤハーネスが割り当てられるため「△△」には「Ｂ１」が、「＊＊＊」には電線を識別する識別子「ｂ０１」〜「ｂ１３」が、それぞれ電線を識別する識別情報として記述されている。尚、分割領域Ｂに敷設可能な電線は、「ｂ０１」〜「ｂ２５」の２５種類あるものとする。このため、分割領域「インパネ」に割り当てられる品番「Ｂ１」のワイヤハーネスには、「ｂ０１」〜「ｂ２５」のうち、「ｂ０１」〜「ｂ１３」の電線が備わっていることになる。図１（ａ）では、分割領域Ｂにおいても、導通検査対象を、導通検査が成功したもの、導通検査が実施されていないもの、の順に上から下に向けて配列している。この分割領域Ｂの検査履歴から、分割領域「インパネ」に割り当てられる品番「Ｂ１」のワイヤハーネスは、導通検査が成功した９本の電線には接続先があり、導通検査の結果が対応付けて記録されていない４本の電線には接続先がないことが分かる。
【００３６】
分割領域Ｃにおいては、分割領域Ｃが車室内であるため「□□□□」には「車室内」との文字列が、分割領域Ｃに品番「Ｃ１」のワイヤハーネスが割り当てられるため「△△」には「Ｃ１」が、「＊＊＊」には電線を識別する識別子「ｃ０１」〜「ｃ１５」が、それぞれ電線を識別する識別情報として記述されている。尚、分割領域Ｃに敷設可能な電線は、「ｃ０１」〜「ｃ２５」の２５種類あるものとする。このため、分割領域「車室内」に割り当てられる品番「Ｃ１」のワイヤハーネスには、「ｃ０１」〜「ｃ２５」のうち、「ｃ０１」〜「ｂ１５」の電線が備わっていることになる。図１（ａ）では、分割領域Ｃにおいても、導通検査対象を、導通検査が成功したもの、導通検査が実施されていないもの、の順に上から下に向けて配列している。この分割領域Ｃの検査履歴から、分割領域「車室内」に割り当てられる品番「Ｃ１」のワイヤハーネスは、導通検査が成功した１０本の電線には接続先があり、導通検査の結果が対応付けて記録されていない４本の電線には接続先がないことが分かる。
【００３７】
さらに、図１（ｂ）を参照して、別のパターンの部位毎コネクタ・配線情報に対する識別工程の実行が完了したときに記録される検査履歴を説明する。図１（ｂ）は、本発明の実施形態の遊びコネクタの判定方法における、別のパターンの導通検査フェーズ完了後に記録されるデータの概念図である。図１（ａ）を参照して説明した検査履歴は、分割領域Ａに品番「Ａ１」のワイヤハーネスが割り当てられ、分割領域Ｂに品番「Ｂ１」のワイヤハーネスが割り当てられ、分割領域Ｂに品番「Ｃ１」のワイヤハーネスが割り当てられたパターンの部位毎コネクタ・配線情報に対するものであった。図１（ｂ）は、分割領域Ｃに割り当てられるワイヤハーネスの品番が異なる場合の検査履歴を示しており、分割領域Ａに品番「Ａ１」のワイヤハーネスが割り当てられ、分割領域Ｂに品番「Ｂ１」のワイヤハーネスが割り当てられ、分割領域Ｃに品番「Ｃ２」のワイヤハーネスが割り当てられたパターンの部位毎コネクタ・配線情報に対する検査履歴を示す。
【００３８】
分割領域Ａには、図１（ａ）を参照して説明したものと同一の品番「Ａ１」のワイヤハーネスが割り当てられる。このため、分割領域「エンジン」に割り当てられる品番「Ａ１」のワイヤハーネスには、「ａ０１」〜「ａ１６」の電線が備わっていることになる。この分割領域Ａの検査履歴から、分割領域「エンジン」に割り当てられる品番「Ａ１」のワイヤハーネスは、導通検査が成功した１４本の電線には接続先があり、導通検査の結果が対応付けて記録されていない２本の電線には接続先がないことが分かる。
【００３９】
また、分割領域Ｂには、図１（ａ）を参照して説明したものと同一の品番「Ｂ１」のワイヤハーネスが割り当てられる。このため、分割領域「インパネ」に割り当てられる品番「Ｂ１」のワイヤハーネスには、「ｂ０１」〜「ｂ１３」の電線が備わっていることになる。この分割領域Ｂの検査履歴から、分割領域「インパネ」に割り当てられる品番「Ｂ１」のワイヤハーネスは、導通検査が成功した１１本の電線には接続先があり、導通検査の結果が対応付けて記録されていない２本の電線には接続先がないことが分かる。
【００４０】
また、分割領域Ｃには、図１（ａ）を参照して説明したワイヤハーネスとは異なる品番「Ｃ２」のワイヤハーネスが割り当てられる。分割領域「車室内」に割り当てられる品番「Ｃ２」のワイヤハーネスには、「ｃ０１」〜「ｃ２５」のうち、「ｃ１０」〜「ｂ２５」の電線が備わっていることになる。この分割領域Ｃの検査履歴から、分割領域「車室内」に割り当てられる品番「Ｃ２」のワイヤハーネスは、導通検査が成功した１３本の電線には接続先があり、導通検査の結果が対応付けて記録されていない３本の電線には接続先がないことが分かる。
【００４１】
図１（ａ）及び図１（ｂ）に示される検査履歴を対比して分かるように、検査が実施される部位毎コネクタ・配線情報のパターンが異なると、それぞれの部位毎コネクタ・配線情報に対する検査履歴は、それらのパターンにおけるある分割領域において同一の品番のワイヤハーネスが割り当てられていたとしても、異なるものとなる。例えば、図１（ａ）に示される、あるパターンの導通検査フェーズ完了後の検査履歴には、分割領域Ａにおいて導通検査が成功した電線が１２本あったものが、図１（ｂ）に示される、別のパターンの導通検査フェーズ完了後の検査履歴には、分割領域Ａにおいて導通検査が成功した電線が１４本となっている。同様に、図１（ａ）に示されるように、分割領域Ｂにおいて導通検査が成功した電線が９本あったものが、図１（ｂ）に示されるように、分割領域Ｂにおいて導通検査が成功した電線が１１本となっている。このように導通検査に成功した電線が増加する（または減少する）のは、あるパターンにおいて求められる仕様よりも別のパターンにおいて求められる仕様が多く（または少なく）、その仕様を実現する電気回路に接続される電線が増加する（または減少する）ことが一因として挙げられる。
【００４２】
以上、導通検査フェーズでは、図１（ａ）及び図１（ｂ）を参照して説明したように、車両空間を区分けする分割領域毎に、該分割領域に配索されるワイヤハーネスのなかから任意の品番のワイヤハーネスを割り当てて１つのパターンを形成する形成工程と、パターン毎に、分割領域のうちの第１の分割領域に割り当てられる第１のワイヤハーネスを構成する電線群を、分割領域のうちの第１の分割領域に隣り合う第２の分割領域に接続先が存在する必要電線と、第２の分割領域に接続先が存在しない余り電線と、に識別する識別工程とを有する。以後、検査履歴において、導通検査が成功した電線を必要電線と称し、導通検査の結果が対応付けて記録されていない電線を余り電線、と称することがある。ワイヤハーネスを構成する電線群を必要電線及び余り電線に識別すると、導通検査フェーズ完了後の検査履歴は、図２に示されるように一般化することができる。図２は、本発明の実施形態の遊びコネクタの判定方法における、導通検査フェーズ完了の検査履歴を説明する概念図である。
【００４３】
図２に示されるように、導通検査フェーズ完了後、パターン総数Ｐの部位毎コネクタ・配線情報に対する導通検査の検査履歴が記録される。ここで、導通検査フェーズが検査の対象とする車両にはＮ個の分割領域あるものとし、各分割領域をＤ（１）、Ｄ（２）、・・・Ｄ（ｎ）、・・・Ｄ（Ｎ）（ただし、Ｎは自然数）と表記する。また、ある分割領域Ｄ（ｎ）に割り当てられるワイヤハーネスの品番の総数Ｗ（ｎ）と表記すると、導通検査フェーズにおいて導通検査が実行される部位毎コネクタ・配線情報のパターン総数Ｐは、Ｐ＝Ｗ（１）×Ｗ（２）×・・・×Ｗ（Ｎ）として算出される。また、パターン総数Ｐのうちの第ｘ番目のパターンを示す表記としてｐ（ｘ）を用いる（ただし、ｘは、１、２、・・・ｘ、・・・Ｐ）。また、第ｘ番目のパターンｐ（ｘ）の部位毎コネクタ・配線情報に対する導通検査の検査履歴において分割領域Ｄ（ｎ）に割り当てられたワイヤハーネスの必要電線をＭ、余り電線をＲとする。図２に示されるように、導通検査フェーズ完了後の検査履歴には、各パターンｐ（１）、ｐ（２）・・・、ｐ（Ｐ）毎に、任意の分割領域Ｄ（ｎ）における必要電線Ｍ及び余り電線Ｒが記録されている。図１（ａ）及び図１（ｂ）に示されるデータそれぞれは、図２に示される、あるパターンｐ（ｘ）に対する導通検査の検査履歴に相当する。
【００４４】
尚、本発明の実施形態の遊びコネクタの判定方法における導通検査フェーズとして、特願２０１０−１６５２４８に記載されたワイヤハーネス導通検査方法を適用した一形態について説明したが、本発明はこの形態に限られない。パターン毎に、分割領域のうちの第１の分割領域に割り当てられる第１のワイヤハーネスを構成する電線群を、分割領域のうちの第１の分割領域に隣り合う第２の分割領域に接続先が存在する必要電線と、第２の分割領域に接続先が存在しない余り電線と、に識別することができる手法を本発明に適用することができる。
【００４５】
［遊びコネクタ検出フェーズ］
ここまでは、図１（ａ）及び図１（ｂ）を参照して、あるパターンの部位毎コネクタ・配線情報に対する識別工程の実行が完了したときに記録される検査履歴について説明した。上述したように、識別工程の実行が完了したとき、分割領域Ａ、Ｂ、Ｃそれぞれに割り当てられた所定の品番のワイヤハーネスにおいて、余り電線が生じることがある。この余り電線のなかに、遊びコネクタに連結される電線が含まれている可能性がある。以降、余り電線のなかから遊びコネクタに連結される電線を特定する遊びコネクタ検出フェーズについて図３から図６を参照して説明する。図３は、本発明の実施形態の遊びコネクタの判定方法における遊びコネクタ検出フェーズを説明するフローチャートである。図４は、１つのパターンの導通検査フェーズ完了後に記録された検査履歴の一例を示す図である。図５は、図４に示される検査履歴を一部編集したものを示す図である。図６は、図５に示される検査履歴の一部を並び変えたものを示す図である。
【００４６】
項目［導通検査フェーズ］では、図１（ａ）及び図１（ｂ）を参照して、１つのパターンの導通検査フェーズ完了後に記録される検査履歴における導通検査対象を「□□□□−△△−＊＊＊」として記述した。特に、「＊＊＊」は電線を識別する識別子として記述したが、この識別子は、特願２０１０−１６５２４８に記載されているように、識別子を特定する項目がさらに設けられることがある。以下では、遊びコネクタ検出フェーズについて説明する前に、まず、１つのパターンの導通検査フェーズ完了後に記録された検査履歴を図４を参照して詳細に説明する。
【００４７】
図４に示されるように、検査履歴における導通検査対象は、（１）図面品番、（２）Ｆコネクタ名称とコネクタ品番と端子とキャビティナンバー（Cavity Number。以下、単にＣ／Ｎと略す）、および、（３）Ｔコネクタ名称とコネクタ品番と端子とＣ／Ｎ、の３つの要素を含んで構成される。Ｆコネクタ名称からＣ／Ｎにかけての四列は一組であり、同様に、Ｔコネクタ名称からＣ／Ｎにかけての四列は一組である。検査履歴における導通検査対象は、その一行が、部位毎コネクタ・配線情報に記述されている一つの電線を表している。図１（ａ）及び図１（ｂ）に示される、導通検査対象を記述する「□□□□−△△−＊＊＊」と、図４に示される、導通検査対象を記述する上述の（１）から（３）の各要素と、を対応付けると、「□□□□−△△」が上記（１）図面品番に対応し、「＊＊＊」が上記（２）及び（３）に含まれる事項に対応する。図４においては、一本の電線は、当該電線の一端に接続されるコネクタを識別する情報（Ｆコネクタ名称とコネクタ品番）及び端子を識別する情報（端子及びＣ／Ｎ）、並びに、当該電線の他端に接続されるコネクタを識別する情報（Ｔコネクタ名称とコネクタ品番）及び端子を識別する情報（端子及びＣ／Ｎ）によって特定される。そして、図４においては、上述の（１）から（３）の各要素によって記述される導通検査対象に対応付けられて、導通検査の結果が記録されている。
【００４８】
以下、図４に示される、１つのパターンの導通検査フェーズ完了後に記録された検査履歴を参照して、遊びコネクタ検出フェーズの処理について説明する。導通検査フェーズでは、分割領域「エンジン」に品番「Ａ１」のワイヤハーネスが割り当てられ、分割領域「インパネ」に品番「Ｂ１」のワイヤハーネスが割り当てられた部位毎コネクタ・配線情報に対する検査履歴が記録されているものとし、分割領域「エンジン」に配索されたワイヤハーネスに対して、遊びコネクタ検出フェーズを適用する形態について説明する。尚、分割領域「エンジン」以外の分割領域に配索されたワイヤハーネスに対して遊びコネクタ検出フェーズを適用する場合も同様である。
【００４９】
まず、分割領域「エンジン」の検査履歴における導通検査対象から、分割領域「エンジン」に隣り合う分割領域に敷設される電線とコネクタを介して接続されたものを抽出する（ステップＳ３０１）。分割領域Ａに敷設される電線の一端に位置するコネクタが、その分割領域Ａに隣り合う分割領域Ｂに位置する対象物と接続される場合、分割領域Ｂに位置する対象物としては、電線、ＪＢ（Junction Box）、ＪＣ（Joint Connector）等が想定される。分割領域Ｂに位置する対象物のうち、ある分割領域Ａに配索されるワイヤハーネスに遊びコネクタを発生させ得る対象物は、電線に限られる。このため、ステップＳ３０１では、分割領域「エンジン」の検査履歴における導通検査対象から、分割領域「エンジン」に隣り合う分割領域「インパネ」に敷設される電線とコネクタを介して電線−電線接続されたものを絞る。
【００５０】
ステップＳ３０１にて分割領域「エンジン」の検査履歴における導通検査対象から電線−電線接続されたものを絞り込むにあたっては、電線−電線接続に利用されるコネクタに関する情報の一覧を嵌合ライブラリとして用意しておき、分割領域「エンジン」の検査履歴における導通検査対象から、Ｔコネクタ名称またはコネクタ品番の記述が該嵌合ライブラリに存在するものを電線−電線接続される電線として抽出する。こうして一部の検査対象項目が抽出された検査履歴が図５に示される。図５に示される、一部の検査対象項目が抽出された検査履歴では、Ｔコネクタ名称が「Ｗ  ｔｏ  Ｗ  ２」と記述された検査対象項目が抽出されている。
【００５１】
尚、Ｔコネクタ名称またはＴコネクタ名称に対応するコネクタ品番の記述を嵌合ライブラリと対比する場合について説明した。これは、分割領域「エンジン」に敷設される電線と、該電線のＴ側に隣接する分割領域「インパネ」と、において電線−電線接続されたものに絞るためである。ある分割領域に敷設される電線と、該電線のＦ側に隣接する分割領域と、において電線−電線接続されたものに絞る場合には、Ｆコネクタ名称またはＦコネクタ名称に対応するコネクタ品番の記述を嵌合ライブラリと対比するようにすることができる。
【００５２】
続いて、ステップＳ３０１にて一部の検査対象項目が抽出された検査履歴の各検査対象項目を、Ｔコネクタ名称及びコネクタ品番毎にグルーピングする（ステップＳ３０２）。こうしてグルーピングされた検査履歴が図６に示される。図６に示されるように、Ｔコネクタ名称が「Ｗ  ｔｏ  Ｗ  ２」且つコネクタ品番が「ＸＸＸ」であるコネクタ（Ｃｏｎｎｅｃｔｏｒ１）と、Ｔコネクタ名称が「Ｗ  ｔｏ  Ｗ  ２」且つコネクタ品番が「ＹＹＹ」であるコネクタ（Ｃｏｎｎｅｃｔｏｒ２）と、の２つのコネクタにグルーピングされる。
【００５３】
続いて、ステップＳ３０２にてグルーピングされた検査履歴に対して、グルーピングされたコネクタ毎に導通が図られた電線の有無を判別する（ステップＳ３０３）。導通が図られた電線がコネクタに有る場合（ステップＳ３０３、ＹＥＳ）、当該コネクタを遊びコネクタではないと判定する（ステップＳ３０４）。他方、導通が図られた電線がコネクタに無い場合（ステップＳ３０３、ＮＯ）、当該コネクタを遊びコネクタであると判定する（ステップＳ３０５）。図６に示される２つのコネクタのうち、Ｃｏｎｎｅｃｔｏｒ１は、導通が図られた電線が有るため遊びコネクタではないと判定される。他方、Ｃｏｎｎｅｃｔｏｒ２は、導通が図られた電線が無いため遊びコネクタであると判定される。
【００５４】
遊びコネクタ検出フェーズのステップＳ３０４またはステップＳ３０５にて遊びコネクタの有無が判定された後、続いて、遊びコネクタの有無が判定されたコネクタ毎に、電線−電線接続された２つの分割領域間において電線−電線接続されたワイヤハーネスのうちの一方の分割領域に割り当てられたワイヤハーネスの図面品番ＦＮ１及び他方の分割領域に割り当てられたワイヤハーネスの図面品番ＦＮ２、遊びコネクタの有無の判定の対象となったコネクタのＴコネクタ名称ＮＡＭＥ及びコネクタ品番ＣＮ、並びに遊びコネクタの判定結果Ｒ、が記録される（ステップＳ３０６またはステップＳ３０７）。例えば図６に示される２つのコネクタに関しては、そのうちの１つのＣｏｎｎｅｃｔｏｒ１は、（ＦＮ１、ＦＮ２、ＮＡＭＥ、ＣＮ、Ｒ）＝（Ａ１、Ｂ１、Ｗ  ｔｏ  Ｗ  ２、ＸＸＸ、ＯＫ）と記録される。また、残りの１つのＣｏｎｎｅｃｔｏｒ２は、（ＦＮ１、ＦＮ２、ＮＡＭＥ、ＣＮ、Ｒ）＝（Ａ１、Ｂ１、Ｗ  ｔｏ  Ｗ  ２、ＹＹＹ、ＮＧ）と記録される。ステップＳ３０６またはステップＳ３０７にて、遊びコネクタの有無が判定されたコネクタ毎に（ＦＮ１、ＦＮ２、ＮＡＭＥ、ＣＮ、Ｒ）の情報を書き込む理由については、次項［遊びコネクタ出力フェーズ］にて説明する。
【００５５】
本発明の実施形態の遊びコネクタの判定方法における遊びコネクタ検出フェーズでは、以上のようにして、あるパターンの部位毎コネクタ・配線情報に対する検査履歴を参照して、当該パターンにおいて任意の分割領域に割り当てられたワイヤハーネスに対する遊びコネクタの有無が判定される。そして、導通検査フェーズにて出力された全てのパターンの部位毎コネクタ・配線情報に対する検査履歴に対して、遊びコネクタ検出フェーズが実施される。この結果、本発明の実施形態の遊びコネクタの判定方法によれば、ワイヤハーネスを構成するコネクタに遊びコネクタが存在するか否かを解析によって特定することができる。これにより、遊びコネクタの存在を把握することができるので、車両パネルや、ワイヤハーネスの幹線となる電線などに固定される対策が取られないまま、遊びコネクタが見過ごされてしまうことを防止できる。この結果、遊びコネクタが固定されていないことに起因して生じる不具合を抑制することができる。
【００５６】
［遊びコネクタ出力フェーズ］
ここまでは、遊びコネクタを判定する方法について説明した。以降では、このように遊びコネクタの有無が判定されたコネクタを、解析者が把握し易い状態で表示出力する方法について説明する。
【００５７】
分割領域Ａに配索可能な品番の異なる２つのワイヤハーネスが存在し、分割領域Ａに隣り合う分割領域Ｂに配索可能なワイヤハーネスが１つ存在する場合、且つ、分割領域Ａに配索可能な２つのワイヤハーネスに共通のコネクタが備わっている場合、分割領域Ａに配索されるある品番のワイヤハーネスではそのコネクタが遊びコネクタであると判定され、分割領域Ａに配索される別の品番のワイヤハーネスではそのコネクタが遊びコネクタではないと判定されることがある。このため、隣り合う２つの分割領域に配索されるワイヤハーネスの品番を特定しない限り、ある品番のワイヤハーネスに備わる所定のコネクタが遊びコネクタであるか否かを一義的に特定することができない。
【００５８】
そこで、分割領域Ａに配索可能なワイヤハーネスの品番と、分割領域Ａに隣り合う分割領域Ｂに配索可能なワイヤハーネスの品番と、をマトリックス状に表示し、互いの品番が交わるセルに遊びコネクタの有無を表示させる手法が有効であることに発明者は思い至った。以下、図７（ａ）から図７（ｃ）を参照して、遊びコネクタの有無をマトリックス状に表示させる方法について説明する。図７（ａ）から図７（ｃ）は、本発明の実施形態の遊びコネクタの判定方法における遊びコネクタ出力フェーズによる表示例を説明する図である。
【００５９】
図７（ａ）に示される表示例では、縦方向に分割領域「エンジン」に配索されるワイヤハーネスの品番「Ａ１」〜「Ａ１０」を、横方向に分割領域「インパネ」に配索されるワイヤハーネスの品番「Ｂ１」〜「Ｂ１０」を、それぞれ並べている。そして、任意の品番「Ａ１」〜「Ａ１０」及び任意の品番「Ｂ１」〜「Ｂ１０」によって特定される各セルに、それらの品番が各分割領域に割り当てられたパターンにおける、分割領域「エンジン」または分割領域「インパネ」に配索されるワイヤハーネスの遊びコネクタの有無が「−」または「●」によって表示されている。「−」は遊びコネクタが無いことを、「●」は遊びコネクタが有ることを、それぞれ意味している。図７（ａ）では、分割領域「エンジン」及び分割領域「インパネ」に割り当てられるワイヤハーネスの品番の組合せが（Ａ３、Ｂ３）、（Ａ８、Ｂ３）、（Ａ５、Ｂ７）及び（Ａ７、Ｂ８）であるときに、遊びコネクタが有ることを例示している。
【００６０】
このような「−」または「●」による遊びコネクタの有無をマトリックス状に表示するために、項目［遊びコネクタ検出フェーズ］にて、遊びコネクタの有無が判定されたコネクタ毎に（ＦＮ１、ＦＮ２、ＮＡＭＥ、ＣＮ、Ｒ）の情報を書き込む点を説明した（図３、ステップＳ３０６またはステップＳ３０７）。遊びコネクタ検出フェーズでは、導通検査フェーズにて出力された全てのパターンの部位毎コネクタ・配線情報に対して、且つ、各パターン毎に、当該パターンにおいて任意の分割領域に割り当てられたワイヤハーネスに対する遊びコネクタの有無が判定されている。このため、電線−電線接続された２つの分割領域にそれぞれ割り当てられたワイヤハーネスの品番のパターンを特定すれば、すなわち、ワイヤハーネスの図面品番ＦＮ１及びワイヤハーネスの図面品番ＦＮ２をそれぞれ１つ特定すれば、その図面品番ＦＮ１、ＦＮ２の条件に該当する（ＮＡＭＥ、ＣＮ、Ｒ）をコネクタの一覧として取り出すことができる。ここで、取り出したコネクタの一覧のなかに、遊びコネクタの判定結果Ｒが「ＮＧ」と記録されているものが１つあれば、ワイヤハーネスの図面品番ＦＮ１及びワイヤハーネスの図面品番ＦＮ２によって特定されるセルに「●」と表示することとする。他方、遊びコネクタの判定結果Ｒが全て「ＯＫ」と記録されていれば、ワイヤハーネスの図面品番ＦＮ１及びワイヤハーネスの図面品番ＦＮ２によって特定されるセルに「−」と表示することとする。この処理を、ワイヤハーネスの図面品番ＦＮ１及びワイヤハーネスの図面品番ＦＮ２の全ての組合せに対して実行することにより、図７（ａ）に示されるマトリックス状の表示を実現することができる。
【００６１】
遊びコネクタ出力フェーズでは、以上のように遊びコネクタが存在するパターンを識別可能に出力することによって、解析者が把握し易い状態で遊びコネクタの存在を表示出力することができる。
【００６２】
ところで、図７（ａ）を参照して説明した表示例は、遊びコネクタが存在する品番のパターンを識別可能に出力するものであった。このように遊びコネクタが存在するパターンを認識した後、遊びコネクタと判定されたコネクタを特定する情報を出力することができれば、より好ましい表示形態であると考えられる。図７（ｂ）を参照して、遊びコネクタと判定されたコネクタを特定する情報を表示させる方法について説明する。
【００６３】
遊びコネクタと判定されたコネクタを特定するにあたっては、まず、遊びコネクタが存在すると判定されたパターンを選択する。図７（ｂ）では、分割領域「エンジン」及び分割領域「インパネ」に割り当てられるワイヤハーネスの品番の組合せが（Ａ８、Ｂ３）であるセルが選択されたものとする。このとき、図面品番ＦＮ１（Ａ８）、ＦＮ２（Ｂ３）及び判定結果Ｒ（ＮＧ）の条件に該当するコネクタの（ＮＡＭＥ、ＣＮ）を取り出す。そして、取り出した（ＮＡＭＥ、ＣＮ）を該当セルに対応付けて出力する。図７（ｂ）では、ワイヤハーネスの品番の組合せが（Ａ８、Ｂ３）であるセルから延びる吹き出しに、判定結果Ｒ（ＮＧ）の条件に該当する２つのコネクタのＴコネクタ名称ＮＡＭＥ１、ＮＡＭＥ２及びコネクタ品番ＣＮ１、ＣＮ２を表示した例を示している。このようにして、遊びコネクタが存在するパターンを出力するとともに、遊びコネクタと判定されたコネクタを特定する情報を出力することができる。この結果、解析者がより把握し易い状態で遊びコネクタの存在を表示出力することができる。
【００６４】
尚、図７（ｂ）では、遊びコネクタが存在すると判定されたセルが選択される形態について説明した。しかし、この選択する操作を解析者から受け付けることは必須ではない。遊びコネクタが存在すると判定されたセルに対応付けて（ＮＡＭＥ、ＣＮ）を出力することができる。例えば、遊びコネクタが存在すると判定されたセル毎に当該セルから延びる吹き出しを表示し、各吹き出しに該当するコネクタのＴコネクタ名称ＮＡＭＥ及びコネクタ品番ＣＮを表示するようにすれば、セルの選択操作無しで遊びコネクタを把握することができ、さらに作業性の向上が見込める。
【００６５】
ところで、図３のステップＳ３０６またはステップＳ３０７の処理に関し、コネクタ毎に、（ＦＮ１、ＦＮ２、ＮＡＭＥ、ＣＮ、Ｒ）を記録する点を説明した。上記では、コネクタ毎に、電線−電線接続された２つの分割領域間において電線−電線接続された２種類のワイヤハーネスの品番ＦＮ１、ＦＮ２を記録するように説明したが、電線−電線接続された２つの分割領域以外の分割領域に割り当てられたワイヤハーネスの品番を記録することができる。すなわち、図３のステップＳ３０６またはステップＳ３０７の処理に関し、コネクタ毎に、（ＦＮ１、ＦＮ２、・・・、ＦＮｎ、ＮＡＭＥ、ＣＮ、Ｒ）（ただし、ｎは２以上）を記録する。
【００６６】
例えば、図７（ａ）が車両空間が「エンジン」、「インパネ」、「車室内」の３つの分割領域に割り当てられるワイヤハーネスの品番に関してマトリックス表示されたものである場合を考える。図７（ａ）では、分割領域「エンジン」及び分割領域「インパネ」に割り当てられるワイヤハーネスの品番の組合せが（Ａ８、Ｂ３）であるセルに遊びコネクタがあると出力される。しかしながら、分割領域「車室内」に配索されるワイヤハーネスの品番が「Ｃ１」〜「Ｃ１０」存在するとき、分割領域「エンジン」、分割領域「インパネ」及び分割領域「車室内」に割り当てられるワイヤハーネスの品番の組合せ（Ａ８、Ｂ３、Ｃ１）、（Ａ８、Ｂ３、Ｃ２）、・・・（Ａ８、Ｂ３、Ｃ１０）の全てに、遊びコネクタが存在するとは限らない。
【００６７】
このため、図３のステップＳ３０６またはステップＳ３０７の処理に関し、コネクタ毎に、（ＦＮ１、ＦＮ２、・・・、ＦＮｎ、ＮＡＭＥ、ＣＮ、Ｒ）（ただし、ｎは２以上）を記録するようにしておくことにより、次の表示出力が可能となる。すなわち、図７（ｂ）に示されるように、分割領域「エンジン」及び分割領域「インパネ」に割り当てられるワイヤハーネスの品番の組合せが（Ａ８、Ｂ３）であるセルが選択されたものとする。このとき、図面品番ＦＮ１（Ａ８）、ＦＮ２（Ｂ３）、ＦＮ３（Ｃ１〜Ｃ１０）及び判定結果Ｒ（ＮＧ）の条件に該当するコネクタの（ＮＡＭＥ、ＣＮ）を取り出す。そして、取り出した（ＮＡＭＥ、ＣＮ）を該当セルに対応付けて出力する。そしてさらに、ＦＮ３のうちの判定結果Ｒ（ＮＧ）の条件に該当するＦＮ３を該当セルに対応付けて出力する。図７（ｂ）では、ワイヤハーネスの品番の組合せが（Ａ８、Ｂ３）であるセルから延びる吹き出しに、判定結果Ｒ（ＮＧ）の条件に該当する分割領域「車室内」に配索されるワイヤハーネスの品番「Ｃ３」、「Ｃ６」、「Ｃ８」、「Ｃ１０」、を表示した例を示している。このようにして、遊びコネクタが存在するパターンをより厳格に出力することにより、解析者がより把握し易い状態で遊びコネクタの存在を表示出力することができる。
【００６８】
さらに、図７（ｂ）を参照して説明した表示例に関し、分割領域が４つ以上存在する車両を対象とする場合には、４つ目以降の分割領域Ｄ、Ｅ・・・に割り当てられるワイヤハーネスの品番を表示できない。このため、図３のステップＳ３０６またはステップＳ３０７の処理に関し、コネクタ毎に、（ＦＮ１、ＦＮ２、ｐ（ｘ）、ＮＡＭＥ、ＣＮ、Ｒ）を記録するようにしておく。ｐ（ｘ）は各分割領域に割り当てられたワイヤハーネスの品番の組合せを識別する情報であり（図２参照。）、遊びコネクタの判定の対象となる検査履歴に割り当てられたｐ（ｘ）が参照されて、図３のステップＳ３０６またはステップＳ３０７の処理にて記録される。このように各種情報が記録されることにより、次の表示出力が可能となる。図７（ｃ）に示されるように、分割領域「エンジン」及び分割領域「インパネ」に割り当てられるワイヤハーネスの品番の組合せが（Ａ８、Ｂ３）であるセルが選択されたものとする。このとき、図面品番ＦＮ１（Ａ８）、ＦＮ２（Ｂ３）、及び判定結果Ｒ（ＮＧ）の条件に該当するコネクタの（ＮＡＭＥ、ＣＮ）を取り出す。そして、取り出した（ＮＡＭＥ、ＣＮ）を該当セルに対応付けて出力する。そしてさらに、ｐ（ｘ）のうちの判定結果Ｒ（ＮＧ）の条件に該当するｐ（ｘ）を該当セルに対応付けて出力する。図７（ｃ）では、ワイヤハーネスの品番の組合せが（Ａ８、Ｂ３）であるセルから延びる吹き出しに、判定結果Ｒ（ＮＧ）の条件に該当するパターン「ｐ（１）」、「ｐ（５）」、「ｐ（７）」、「ｐ（８）」、を表示した例を示している。このようにして、遊びコネクタが存在するパターンの識別情報を出力することにより、解析者が確実にパターンを把握できる状態で遊びコネクタの存在を表示出力することができる。
【００６９】
［ワイヤハーネス導通検査装置の構成］
以降、本発明の実施形態の遊びコネクタの判定方法を実行するワイヤハーネス導通検査装置について図８を参照して説明する。図８は、本発明の実施形態の遊びコネクタの判定方法を実行する装置の機能ブロック図である。
本発明に係る実施の形態のワイヤハーネス導通検査装置は、入力部８１１、データベース部８１２、プログラム記憶部８１３、データ記憶部８１４、表示部８１５、処理部８１６を含んで構成される。本発明のワイヤハーネス導通検査装置は、例えば汎用ＰＣによって構成される場合、入力部８１１はキーボード、マウス、テンキーなどの各種入力インタフェースによって実現され、データベース部８１２及びプログラム記憶部８１３は、ハードディスクドライブ（ＨＤＤ）によって実現され、データ記憶部８１４はＲＡＭ（Ｒａｎｄｏｍ  Ａｃｃｅｓｓ  Ｍｅｍｏｒｙ）によって実現され、表示部８１５はＣＲＴディスプレイ、液晶ディスプレイなどの各種出力デバイスによって実現され、処理部８１６は、ＣＰＵ（Ｃｅｎｔｒａｌ  Ｐｒｏｃｅｓｓｉｎｇ  Ｕｎｉｔ）によって実現される。データベース部８１２には、補器毎配線情報のデータ、および部位毎コネクタ・配線情報のデータ（必要に応じて、該補器毎配線情報に基づいて作成された実体配線図のデータ）が記憶されているとともに、補器仕様表のデータが記憶されている。また、プログラム記憶部８１３には、上述の［導通検査フェーズ］、［遊びコネクタ検出フェーズ］及び［遊びコネクタ出力フェーズ］を処理部８１６に実行するためのプログラムが記録されている。また、データ記憶部８１４には、上述の［導通検査フェーズ］、［遊びコネクタ検出フェーズ］及び［遊びコネクタ出力フェーズ］を実行している処理部８１６から入出力されるデータが記録される。
【符号の説明】
【００７０】
８１１  入力部
８１２  データベース部
８１３  プログラム記憶部
８１４  データ記憶部
８１５  表示部
８１６  処理部
【図１】
2014099049.tif 000003
【図２】
2014099049.tif 000004
【図３】
2014099049.tif 000005
【図４】
2014099049.tif 000006
【図５】
2014099049.tif 000007
【図６】
2014099049.tif 000008
【図７】
2014099049.tif 000009
【図８】
2014099049.tif 000010
【図９】
2014099049.tif 000011
【図１０】
2014099049.tif 000012